(57)【特許請求の範囲】
【請求項１】
回転式除湿機と、冷凍手段を１次冷媒により冷却する１次冷媒回路と、前記１次冷媒から温熱を受取る２次冷媒の流量を制御する制御部と、を備える除湿空調システムであって、
前記回転式除湿機は、
水分の吸収及び放出が可能な回転式の除湿ロータと、
前記除湿ロータが水分を吸収する領域である処理領域と、
前記除湿ロータが水分を放出する領域である再生領域と、
屋外の空気を取り込んで前記再生領域を通過させて屋外に排出させる再生ファンと、
室内の空気を取り込んで前記処理領域を通過させて室内に送風させる処理ファンと、
を有し、
前記１次冷媒回路は、
前記１次冷媒を圧縮するコンプレッサと、
前記再生領域における前記除湿ロータの風上側に配置され、前記１次冷媒から前記再生領域内の空気に温熱を供給する除湿機系凝縮器と、
前記除湿機系凝縮器において温熱を供給した１次冷媒から２次冷媒に温熱を供給する冷却系凝縮器と、
前記２次冷媒を前記冷却系凝縮器に供給する冷却手段と、
前記コンプレッサを通過した後であって前記冷凍手段を通過する前の１次冷媒の圧力を測定する圧力計と、
を有し、
前記２次冷媒は液体であり、
前記冷却手段は、前記２次冷媒を冷却する２次冷媒冷却器において冷却された２次冷媒を前記冷却系凝縮器に供給し、前記冷却系凝縮器において前記１次冷媒から温熱を受取った２次冷媒を前記２次冷媒冷却器に供給する２次冷却回路であり、
前記制御部は、前記圧力計により測定した圧力値に基づいて、前記冷却手段が前記冷却系凝縮器に供給する前記２次冷媒の流量を制御し、
前記２次冷却回路は、前記２次冷媒の流量を調節可能とする流量制御弁を備えると共に、前記流量制御弁を備えた経路をバイパスする経路に設けられた経路に開閉弁を備え、
前記制御部は、
前記圧力計により測定した圧力値が、第１の所定の値を上回れば、前記流量制御弁の開度を大きくし、
前記圧力計により測定した圧力値が、前記第１の所定の値以下の第２の所定の値を下回れば、前記流量制御弁の開度を小さくして、
前記圧力計により測定した圧力値が所定の範囲内となるように前記流量制御弁の開度を制御することを特徴とする除湿空調システム。
【請求項２】
請求項１に記載の除湿空調システムであって、
前記制御部は、前記圧力計により測定した圧力値が、前記第２の所定の値よりも小さい第３の所定の値を下回れば、前記開閉弁を開にするように制御することを特徴とする除湿空調システム。
【請求項３】
請求項１又は２に記載の除湿空調システムであって、
前記制御部は、前記コンプレッサが稼動していない場合は、前記開閉弁を開にするように制御することを特徴とする除湿空調システム。
【請求項４】
水分の吸収及び放出が可能な回転式の除湿ロータと、前記除湿ロータが水分を吸収する領域である処理領域と、前記除湿ロータが水分を放出する領域である再生領域と、屋外の空気を取り込んで前記再生領域を通過させて屋外に排出させる再生ファンと、室内の空気を取り込んで前記処理領域を通過させて室内に送風させる処理ファンと、を有する回転式除湿機と、
前記１次冷媒を圧縮するコンプレッサと、前記再生領域における前記除湿ロータの風上側に配置され、前記１次冷媒から前記再生領域内の空気に温熱を供給する除湿機系凝縮器と、前記除湿機系凝縮器において温熱を供給した１次冷媒から２次冷媒に温熱を供給する冷却系凝縮器と、前記２次冷媒を前記冷却系凝縮器に供給する冷却手段と、前記コンプレッサを通過した後であって前記冷凍手段を通過する前の１次冷媒の圧力を測定する圧力計と、を有し、冷凍手段を１次冷媒により冷却する１次冷媒回路と、
を備え、
前記２次冷媒は液体であり、
前記冷却手段は、前記２次冷媒を冷却する２次冷媒冷却器において冷却された２次冷媒を前記冷却系凝縮器に供給し、前記冷却系凝縮器において前記１次冷媒から温熱を受取った２次冷媒を前記２次冷媒冷却器に供給する２次冷却回路である除湿空調システムを制御する装置であって、
前記圧力計により測定した圧力値に基づいて、前記冷却手段が前記冷却系凝縮器に供給する前記２次冷媒の流量を制御する制御部を備え、
前記２次冷却回路は、前記２次冷媒の流量を調節可能とする流量制御弁を備えると共に、前記流量制御弁を備えた経路をバイパスする経路に開閉弁を備え、
前記制御部は、
前記圧力計により測定した圧力値が、第１の所定の値を上回れば、前記流量制御弁の開度を大きくし、
前記圧力計により測定した圧力値が、前記第１の所定の値以下の第２の所定の値を下回れば、前記流量制御弁の開度を小さくして、
前記圧力計により測定した圧力値が所定の範囲内となるように前記流量制御弁の開度を制御する
ことを特徴とする除湿空調システム制御装置。
【請求項５】
請求項４に記載の除湿空調システム制御装置であって、
前記制御部は、前記圧力計により測定した圧力値が、前記第２の所定の値よりも小さい第３の所定の値を下回れば、前記開閉弁を開にするように制御することを特徴とする除湿空調システム制御装置。
【請求項６】
請求項４又は５に記載の除湿空調システム制御装置であって、
前記制御部は、前記コンプレッサが稼動していない場合は、前記開閉弁を開にするように制御することを特徴とする除湿空調システム制御装置。
【請求項７】
回転式除湿機と、冷凍手段を１次冷媒により冷却する１次冷媒回路と、前記１次冷媒から温熱を受取る、液体である２次冷媒の流量を制御する制御部と、を備える除湿空調システムを用いた除湿空調方法であって、
前記回転式除湿機が備える処理ファンによって、室内の空気を取り込んで処理領域を通過させることにより、前記処理領域内の空気に含まれる水分を前記除湿ロータに吸収させ、その水分が減少した空気を室内に送風させるステップと、
前記回転式除湿機が備える再生ファンによって、屋外の空気を取り込んで再生領域を通過させることにより、前記除湿ロータから前記再生領域内の空気に前記吸収した水分を放出させ、その水分を含む空気を屋外に排出させるステップと、
前記１次冷却回路が備えるコンプレッサにより、前記冷凍手段を冷却する冷媒を圧縮するステップと、
前記再生領域内の前記除湿ロータの風上側に配置される除湿機系凝縮器において、前記冷媒から前記再生領域内の空気に温熱を供給するステップと、
前記１次冷却回路が備える冷却系凝縮器において、前記除湿機系凝縮器で温熱を供給した前記１次冷媒から前記２次冷媒に温熱を供給するステップと、
前記２次冷媒の流量を調節可能とする流量制御弁を備えると共に、前記流量制御弁を備えた経路をバイパスする経路に設けられた経路に開閉弁を備える２次冷却回路により、前記２次冷媒を冷却する２次冷媒冷却器において冷却された２次冷媒を前記冷却系凝縮器に供給し、前記冷却系凝縮器において前記１次冷媒から温熱を受取った２次冷媒を前記２次冷媒冷却器に供給するステップと、
前記コンプレッサを通過した後であって前記冷凍手段を通過する前の１次冷媒の圧力を測定するステップと、
前記測定した圧力値が、第１の所定の値を上回れば、前記流量制御弁の開度を大きくし、前記圧力計により測定した圧力値が、前記第１の所定の値以下の第２の所定の値を下回れば、前記流量制御弁の開度を小さくして、前記圧力計により測定した圧力値が所定の範囲内となるように前記流量制御弁の開度を制御するステップと、を含むことを特徴とする除湿空調方法。
【請求項８】
請求項７に記載の除湿空調方法であって、
前記圧力計により測定した圧力値が、前記第２の所定の値よりも小さい第３の所定の値を下回れば、前記開閉弁を開にするように制御することを特徴とする除湿空調方法。
【請求項９】
請求項７又は８に記載の除湿空調方法であって、
前記コンプレッサが稼動していない場合は、前記開閉弁を開にするように制御することを特徴とする除湿空調方法。
【発明の詳細な説明】
【技術分野】
【０００１】
本発明は、回転式除湿機を利用した除湿空調システム及び方法、並びに除湿空調システムの制御装置及び制御方法に関する。
【背景技術】
【０００２】
回転式除湿機において、併設する冷凍手段の排熱を除湿用の熱源として利用すれば、エネルギー利用の効率化を図れることが一般に知られている（例えば、特許文献１）。
【０００３】
しかし、特許文献１においては、回転式除湿機が必要とする温熱を回転式除湿機に供給するための制御方法は明らかにされておらず、回転式除湿機が、十分にその性能を発揮できるかどうかは不明である。特に冷凍手段の冷媒の冷却方法が水冷式の場合には、一般的に冷凍手段の冷媒の圧力が低いので、その冷凍手段から回転式除湿機の除湿に必要な凝縮排熱を十分には得られ難いという問題があった。
【特許文献１】特開２００４−１５０７３３号公報
【発明の開示】
【発明が解決しようとする課題】
【０００４】
本発明は、冷凍手段の排熱を回転式除湿機の除湿用の熱源として用いる際に、回転式除湿機が十分にその性能を発揮できるようにすることを目的とする。
【課題を解決するための手段】
【０００５】
本発明は、回転式除湿機と、冷凍手段を１次冷媒により冷却する１次冷媒回路と、前記１次冷媒から温熱を受取る２次冷媒の流量を制御する制御部と、を備える除湿空調システムであって、
前記回転式除湿機は、
水分の吸収及び放出が可能な回転式の除湿ロータと、
前記除湿ロータが水分を吸収する領域である処理領域と、
前記除湿ロータが水分を放出する領域である再生領域と、
屋外の空気を取り込んで前記再生領域を通過させて屋外に排出させる再生ファンと、
室内の空気を取り込んで前記処理領域を通過させて室内に送風させる処理ファンと、
を有し、
前記１次冷媒回路は、
前記１次冷媒を圧縮するコンプレッサと、
前記再生領域における前記除湿ロータの風上側に配置され、前記１次冷媒から前記再生領域内の空気に温熱を供給する除湿機系凝縮器と、
前記除湿機系凝縮器において温熱を供給した１次冷媒から２次冷媒に温熱を供給する冷却系凝縮器と、
前記２次冷媒を前記冷却系凝縮器に供給する冷却手段と、
前記コンプレッサを通過した後であって前記冷凍手段を通過する前の１次冷媒の圧力を測定する圧力計と、
を有し、
前記２次冷媒は液体であり、
前記冷却手段は、前記２次冷媒を冷却する２次冷媒冷却器において冷却された２次冷媒を前記冷却系凝縮器に供給し、前記冷却系凝縮器において前記１次冷媒から温熱を受取った２次冷媒を前記２次冷媒冷却器に供給する２次冷却回路であり、
前記制御部は、前記圧力計により測定した圧力値に基づいて、前記冷却手段が前記冷却系凝縮器に供給する前記２次冷媒の流量を制御し、
前記２次冷却回路は、前記２次冷媒の流量を調節可能とする流量制御弁を備えると共に、前記流量制御弁を備えた経路をバイパスする経路に設けられた経路に開閉弁を備え、
前記制御部は、
前記圧力計により測定した圧力値が、第１の所定の値を上回れば、前記流量制御弁の開度を大きくし、
前記圧力計により測定した圧力値が、前記第１の所定の値以下の第２の所定の値を下回れば、前記流量制御弁の開度を小さくして、
前記圧力計により測定した圧力値が所定の範囲内となるように前記流量制御弁の開度を制御することを特徴とする除湿空調システムである。
【００１０】
本発明の除湿空調システムにおいて、前記制御部は、前記圧力計により測定した圧力値が、前記第２の所定の値よりも小さい第３の所定の値を下回れば、前記開閉弁を開にするように制御することとしてもよい。
【００１１】
また、本発明の除湿空調システムにおいて、前記制御部は、前記コンプレッサが稼動していない場合は、前記開閉弁を開にするように制御することとしてもよい。
【００１３】
また、本発明は、水分の吸収及び放出が可能な回転式の除湿ロータと、前記除湿ロータが水分を吸収する領域である処理領域と、前記除湿ロータが水分を放出する領域である再生領域と、屋外の空気を取り込んで前記再生領域を通過させて屋外に排出させる再生ファンと、室内の空気を取り込んで前記処理領域を通過させて室内に送風させる処理ファンと、を有する回転式除湿機と、
前記１次冷媒を圧縮するコンプレッサと、前記再生領域における前記除湿ロータの風上側に配置され、前記１次冷媒から前記再生領域内の空気に温熱を供給する除湿機系凝縮器と、前記除湿機系凝縮器において温熱を供給した１次冷媒から２次冷媒に温熱を供給する冷却系凝縮器と、前記２次冷媒を前記冷却系凝縮器に供給する冷却手段と、前記コンプレッサを通過した後であって前記冷凍手段を通過する前の１次冷媒の圧力を測定する圧力計と、を有し、冷凍手段を１次冷媒により冷却する１次冷媒回路と、
を備え、
前記２次冷媒は液体であり、
前記冷却手段は、前記２次冷媒を冷却する２次冷媒冷却器において冷却された２次冷媒を前記冷却系凝縮器に供給し、前記冷却系凝縮器において前記１次冷媒から温熱を受取った２次冷媒を前記２次冷媒冷却器に供給する２次冷却回路である除湿空調システムを制御する装置であって、
前記圧力計により測定した圧力値に基づいて、前記冷却手段が前記冷却系凝縮器に供給する前記２次冷媒の流量を制御する制御部を備え、
前記２次冷却回路は、前記２次冷媒の流量を調節可能とする流量制御弁を備えると共に、前記流量制御弁を備えた経路をバイパスする経路に開閉弁を備え、
前記制御部は、
前記圧力計により測定した圧力値が、第１の所定の値を上回れば、前記流量制御弁の開度を大きくし、
前記圧力計により測定した圧力値が、前記第１の所定の値以下の第２の所定の値を下回れば、前記流量制御弁の開度を小さくして、
前記圧力計により測定した圧力値が所定の範囲内となるように前記流量制御弁の開度を制御する
ことを特徴とする除湿空調システム制御装置である。
【発明の効果】
【００１４】
本発明は、冷凍手段の排熱を回転式除湿機の除湿用の熱源として用いる際に、回転式除湿機が十分にその性能を発揮することができる。
【発明を実施するための最良の形態】
【００１５】
図１は、本発明の一実施形態である除湿空調システム１の全体構成図である。同図に示すように、本実施形態の除湿空調システム１は、１次冷媒回路１０、回転式除湿機２０、２次冷却回路３０、制御部４０、圧力計１３を主たる構成要素として備えている。
【００１６】
１次冷媒回路１０は、冷凍手段１１、コンプレッサ１２、再生用凝縮器２６、冷却系凝縮器１６を備えている。１次冷媒回路１０内には、１次冷媒（例えば、フロン系、アンモニア、炭化水素、二酸化炭素等）が循環する。
【００１７】
冷凍手段１１は、例えばスーパーマーケット等において食品等の商品を冷却しながら陳列販売するオープンショーケース等の開放型の冷凍手段である。冷凍手段１１は、蒸発器（不図示）で冷媒を蒸発させる等により得られた冷熱を放出して食品等の商品を冷却する。冷却の温度は、商品の種類等に応じて適宜、設定されるものとする。
【００１８】
コンプレッサ１２は、冷凍手段１１を設定された温度に維持するために必要な圧縮率で１次冷媒を圧縮する。
【００１９】
再生用凝縮器２６は、後述のように回転式除湿機２０の再生領域２５に配置され、コンプレッサ１２で圧縮された冷媒の温熱を、再生領域２５に導入された外気へ放出する。
【００２０】
冷却系凝縮器１６は、再生用凝縮器２６で放熱した１次冷媒の温熱を後述する２次冷却回路３０の２次冷媒に放出する。なお、２次冷媒には、例えば水を用いる。
【００２１】
圧力計１３は、１次冷媒回路１０のコンプレッサ１２を通過した後であって冷凍手段１１を通過する前の１次冷媒の圧力を測定する（以下、圧力計１３の示す圧力値を「測定圧力Ｐ」という）。
【００２２】
以上の構成の通り、１次冷媒回路１０を流れる１次冷媒は、冷凍手段１１で冷熱を放出した後、コンプレッサ１２で圧縮され、再生用凝縮器２６及び冷却系凝縮器１６で放熱し、再び冷凍手段１１に戻る。
【００２３】
回転式除湿機２０は、処理領域２２及び再生領域２５の二つの領域を備える。処理領域２２に対応して処理ファン２４が設置される。再生領域２５に対応して再生ファン２７が設置され、また再生領域２５の、後述する除湿ロータ２１より再生ファン２７側に上述の再生用凝縮器２６が配置される。
【００２４】
処理ファン２４は、室内の空気を取り込んで処理領域２２に吹き込み、処理領域２２を通過した空気は再び室内に送り込まれる。一方、再生ファン２７は、屋外の空気を取り込んで再生領域２５に吹き込み、再生領域２５を通過した空気は再び屋外に送り出される。
【００２５】
再生用凝縮器２６は、コンプレッサ１２で圧縮されることにより温度が上昇した１次冷媒から温熱を受け取り、再生領域２５において再生ファン２７によって送風される屋外空気に温熱を供給する。
【００２６】
除湿ロータ２１は、処理領域２２において処理ファン２４によって送風された室内空気に含まれる水分を吸着することで、当該空気を除湿する。水分を吸着する際には、発熱反応をおこし、この熱を利用して処理ファン２４によって送風された室内空気を暖める。また、除湿ロータ２１は、回転することにより、処理領域２２において水分を吸着した部位を再生領域２５に移動させる。除湿ロータ２１は、再生領域２５において、再生ファン２７によって送風され、再生用凝縮器２６から温熱を受け取ることで暖められて相対湿度が低くなった空気により、吸着していた水分を放出する。そして、除湿ロータ２１の回転により、再生領域２５で水分を放出して水分吸着能力を再生させた部位が再び処理領域２２に移動して、上述のように室内空気を除湿する。このように、再生用凝縮器２６の温熱を除湿ロータ２１の再生に利用することにより、処理領域２２の省エネルギー化を図ることができる。
【００２７】
除湿ロータ２１に使用される水分吸着剤は特に限定されないが、チタン・シリカゲル、塩化リチウム、モレキュラーシーブス、ゼオライト、高吸収湿性高分子等、化学的に安定かつ安全であり、高い水分除去能力を有し、加熱により吸着した水分を放出し再生することができるものが好ましい。
【００２８】
２次冷却回路３０は、１次冷媒回路１０と冷却系凝縮器１６を共有し、さらに、２次冷媒冷却器３１、２次冷媒ポンプ３２、流量制御弁３３、及び開閉弁３４を備える。
【００２９】
上述のように、冷却系凝縮器１６では、１次冷媒回路１０の１次冷媒から温熱が放出され、この温熱により２次冷却回路３０の２次冷媒が温められる。すなわち、冷却系凝縮器１６では２次冷却回路３０の２次冷媒と１次冷媒回路１０の冷媒との間の熱交換により、１次冷媒回路１０の冷媒を冷却する。
【００３０】
２次冷媒冷却器３１は、冷却系凝縮器１６において温められた２次冷媒を冷却する。  
２次冷媒ポンプ３２は、２次冷却回路３０の２次冷媒を２次冷却回路３０内で循環させる。
【００３１】
流量制御弁３３は、その開度に応じて２次冷却回路３０の２次冷媒の流量を調節する。この２次冷媒の流量が大きいほど冷却系凝縮器１６での１次冷媒の冷却効率が高くなる。流量制御弁３３の調節は、後述するように制御部４０が行う。
【００３２】
開閉弁３４は、通常の運転時には閉じているが、冷凍手段１１が稼動していないとき、または圧力計１３が示す圧力値が所定の値を下回るときは、後述するように制御部４０の制御により開く。
【００３３】
制御部４０は、冷凍手段１１が稼働しているか否かの情報（以下、「稼動情報」という）及び測定圧力Ｐを取得し、測定圧力Ｐ及び稼動情報に基づいて流量制御弁３３の開度及び開閉弁３４の開閉を制御する。図２は、制御部４０が流量制御弁３３及び開閉弁３４を制御すべく実行する処理の流れを示す図である。
【００３４】
まず、制御部４０は、冷凍手段１１が稼動状態か否かを判定し（Ｓ２０２）、冷凍手段１１が稼動していなければ（Ｓ２０２：ＮＯ）、開閉弁３４を開き（Ｓ２０４）、Ｓ２０２へ戻る。一方、冷凍手段１１が稼動していれば（Ｓ２０２：ＹＥＳ）、測定圧力Ｐが所定の圧力値Ｐａ（特許請求の範囲でいう「第３の所定の値」に相当、これはコンプレッサ１２が通常稼動時には、示すことがありえない低い圧力値）以下か否かを判定し（Ｓ２０６）、測定圧力Ｐが圧力値Ｐａ以下の場合には（Ｓ２０６：ＹＥＳ）、開閉弁３４を開き（Ｓ２０８）、Ｓ２０２へ戻る。一方、測定圧力Ｐが圧力値Ｐａより大きい場合は（Ｓ２０６：ＮＯ）、Ｓ２１０へ進む。
【００３５】
また、制御部４０は、測定圧力Ｐが所定の圧力値Ｐｂ（特許請求の範囲でいう「第１の所定の値」に相当し、Ｐｂ＞Ｐａ）より大きいか否かを判定し（Ｓ２１０）、測定圧力Ｐが圧力値Ｐｂより大きい場合には（Ｓ２１０：ＹＥＳ）、流量制御弁３３の開度を上げ（Ｓ２１２）、Ｓ２０２に戻る。一方、測定圧力Ｐが圧力値Ｐｂ以下の場合には（Ｓ２１０：ＮＯ）、測定圧力Ｐが所定の圧力値Ｐｃ（特許請求の範囲でいう「第２の所定の値」に相当し、Ｐｂ＞Ｐｃ＞Ｐａ）以下か否かを判定する（Ｓ２１４）。測定圧力Ｐが圧力値Ｐｃ以下の場合には（Ｓ２１４：ＹＥＳ）、流量制御弁３３の開度を下げ（Ｓ２１６）、Ｓ２０２に戻る。一方、測定圧力Ｐが圧力値Ｐｃよりも大きい場合には（Ｓ２１４：ＮＯ）、Ｓ２０２に戻る。
【００３６】
以上の通り、制御部４０が２次冷却回路３０の２次冷媒の流量を調節することにより、冷凍手段１１が通常に稼動する時は、１次冷媒回路１０内の圧力を圧力値Ｐｂと圧力値Ｐｃの間の範囲に維持することができる。なお、Ｓ２０２で冷凍手段１１が稼動を停止している場合、又はＳ２０６で１次冷媒回路１０内の圧力が圧力値Ｐａ以下の場合には、Ｓ２０４、Ｓ２０８で開閉弁３４を開いて上記の制御を行わないこととしている。これは、冷凍手段１１が稼動していない場合に、開閉弁３４を開けることにより流量制御弁３３を絞りすぎて２次冷媒ポンプ３２に過剰な負荷がかかることを回避するためと、１次冷媒の圧力を圧力計１３で正しく検出できないような故障が発生した場合に、流量制御弁３３を絞りすぎてコンプレッサ１２が過負荷で停止することを防ぐためである。
【００３７】
以上の制御によれば、制御部４０が流量制御弁３３の開度を調節して２次冷却回路３０の２次冷媒の流量を制御し、１次冷媒回路１０の１次冷媒の圧力値を所定の範囲に維持することにより、再生用凝縮器２６において十分な凝縮熱を得ることができる。これにより、再生領域２５内の空気を十分に暖められ、この暖められた空気により除湿ロータ２１の水分吸着能力を十分に再生させることができる。
【００３８】
すなわち、除湿空調システム１によれば、流量制御弁３３と並列に開閉弁３４を設け、冷凍手段１１が稼動していないときは開閉弁３４を開けることにより流量制御弁３３を絞りすぎて２次冷媒ポンプ３２に過剰な負荷がかかることを回避できる。また、１次冷媒の圧力を圧力計１３で正しく検出できないような故障が発生したときは、流量制御弁３３を絞りすぎてコンプレッサ１２が過負荷で停止することを防ぐことを回避できる。
【００３９】
次に、除湿空調システム１の制御部４０が行う２次冷却回路３０の制御の効果を確認するため、制御部４０が２次冷却回路３０の制御を行う本実施形態の場合と、行わなかった場合（以下、「比較例」という）についての回転式除湿機２０での除湿状況を対比して説明する。
【００４０】
図３は、本実施形態及び比較例における回転式除湿機２０の処理領域２２と再生領域２５とを通過する空気の温度と湿度とを示す空気線図である。図３の空気線図において、横軸は乾球温度（℃）、縦軸に絶対湿度（ｋｇ水／ｋｇ空気）であり、相対湿度（％）が１０％〜９０％の１０％刻みに対応する右上がりの曲線群で示されている。
【００４１】
状態Ａ２は、本実施形態における再生領域２５の再生用凝縮器２６の通過後であって除湿ロータ２１を通過する前の空気の状態を示す。すなわち、本実施形態では、制御部４０が２次冷却回路３０の制御を行うことで、１次冷媒回路１０内の圧力を所定の範囲に維持することができる。そうすると、一般に１次冷媒回路１０内の圧力が大きくなれば再生用凝縮器２６において得られる凝縮熱は大きくなるので、再生用凝縮器２６が再生領域２５において再生ファン２７によって送風される空気に十分な温熱を供給することにより、この空気は、温度が４６℃に上がり、相対湿度は１６％に下がる。この暖められ乾燥した空気によって、除湿ロータ２１は効果的に水分を放出する。
【００４２】
また、処理ファン２４は室内の空気を取り込んでいるので状態Ａ１は室内の空気と同じ温度・湿度であるが、処理領域２２を通過することにより、再生領域で水分を放出した除湿ロータ２１に水分を提供し除湿ロータ２１が水分を吸収する際の反応熱によって暖められるので、処理領域２２の出口では状態Ａ３で示すように、温度が３３℃に上がり、絶対湿度は０．００４９ｋｇ水／ｋｇ空気に、相対湿度は１６％にそれぞれ低下する。このように暖められ乾燥した空気は、室内に戻され、例えば、ショーケース前の通路に送風される。
【００４３】
一方、状態Ｂ２は、比較例における再生領域２５の再生用凝縮器２６の通過後であって除湿ロータ２１を通過する前の空気の状態を示す。比較例の場合は、冷却系凝縮器１６において１次冷媒が２次冷媒に供給する温熱の量が本実施形態の場合よりも多く、１次冷媒回路１０内の圧力が本実施形態の場合に比べて低下する。よって、再生用凝縮器２６が再生領域２５において供給する温熱は本実施例の場合に比べて少なくなり、状態Ｂ２における温度は３０℃、相対湿度は３８％となり、本実施形態の場合に比べて温度は低く相対湿度は高くなる。この暖められ乾燥した空気によって、除湿ロータ２１は水分を放出する。
【００４４】
このように、本実施形態の場合、比較例に比べて、除湿ロータ２１の再生領域２５における温度が高く、相対湿度が低くなる。その結果、本実施形態では、処理領域２２の入口の状態Ａ１を、処理領域２２の出口において、比較例の場合の状態Ｂ３に比べて温度が高く、かつ相対湿度と絶対湿度の低い状態Ａ３へ遷移させることができる。
【００４５】
図４は、本発明の第２の実施形態である除湿空調システム２の全体構成図である。本実施例の除湿空調システム２では、冷却系凝縮器１６において１次冷媒が温熱を供給する相手が後述する冷却ファン３６によって吹き込まれた空気である点が相違しているが、その他の構成は図１に示される除湿空調システム１と同様である。
【００４６】
冷却ファン３６は、冷却系凝縮器１６に空気を供給し、冷却系凝縮器１６は、コンプレッサ１２で圧縮された１次冷媒から温熱を受け取り、冷却ファン３６が供給する空気に温熱を供給する。
【００４７】
制御部４０は、圧力計１３から圧力値を取得し、その圧力値に基づいて冷却ファン３６の風量を制御する。図７は、制御部４０が行う冷却ファン３６の制御フローを示す図である。同図に基づいて、制御部４０の制御について説明する。
【００４８】
制御部４０は、冷凍手段１１が稼働しているか否かの稼動情報及び測定圧力Ｐを取得し、測定圧力Ｐ及び稼動情報に基づいて冷却ファン３６の風量を制御する。図５は、制御部４０が冷却ファン３６を制御すべく実行する処理の流れを示す図である。
【００４９】
まず、制御部４０は、冷凍手段１１が稼動状態か否かを判定し（Ｓ５０２）、冷凍手段１１が稼動していなければ（Ｓ５０２：ＮＯ）、冷却ファン３６を停止し（Ｓ５０４）、Ｓ５０２へ戻る。一方、冷凍手段１１が稼動していれば（Ｓ５０２：ＹＥＳ）、測定圧力Ｐが所定の圧力値Ｐａ以下か否かを判定し（Ｓ５０６）、測定圧力Ｐが圧力値Ｐａ以下の場合には（Ｓ５０６：ＹＥＳ）、冷却ファン３６を一定稼動し（Ｓ５０８）、Ｓ５０２へ戻る。一方、測定圧力Ｐが圧力値Ｐａより大きい場合（Ｓ５０６：ＮＯ）、Ｓ５１０へ進む。
【００５０】
また、制御部４０は、測定圧力Ｐが所定の圧力値Ｐｂ（Ｐｂ＞Ｐａ）より大きいか否かを判定し（Ｓ５１０）、測定圧力Ｐが圧力値Ｐｂより大きい場合には（Ｓ５１０：ＹＥＳ）、冷却ファン３６の風量を増加させ（Ｓ５１２）、Ｓ５０２に戻る。一方、測定圧力Ｐが圧力値Ｐｂ以下の場合には（Ｓ５１０：ＮＯ）、測定圧力Ｐが所定の圧力値Ｐｃ（Ｐｂ＞Ｐｃ＞Ｐａ）以下か否かを判定する（Ｓ５１４）。測定圧力Ｐが圧力値Ｐｃ以下の場合には（Ｓ５１４：ＹＥＳ）、冷却ファン３６の風量を減少させ（Ｓ５１６）、Ｓ５０２に戻る。一方、測定圧力Ｐが圧力値Ｐｃよりも大きい場合には（Ｓ５１４：ＮＯ）、Ｓ５０２に戻る。
【００５１】
以上の通り、制御部４０が２次冷却回路３０の２次冷媒の流量を調節することにより、冷凍手段１１が通常に稼動する時は、１次冷媒回路１０内の圧力を圧力値Ｐｂと圧力値Ｐｃの間の範囲に維持することができる。なお、Ｓ５０２で冷凍手段１１が稼動を停止している場合には、冷却ファン３６は停止し、Ｓ５０６で１次冷媒回路１０内の圧力が極端に低下している場合には、冷却ファン３６は一定稼動し、上記の制御を行わないこととしている。これは、冷凍手段１１が稼動していない場合に、冷却ファン３６を稼動させて不要なエネルギーを使用することを回避するためと、１次冷媒の圧力を圧力計１３で正しく検出できないような故障が発生した場合に、冷却ファン３６の風量が低下して、コンプレッサ１２が過負荷で停止することを防ぐためである。
【００５２】
以上の通り、第２の実施形態の除湿空調システム２によっても、冷凍手段１１の排熱を回転式除湿機２０の除湿用の熱源として用いる際に、回転式除湿機２０が十分にその性能を発揮できる。すなわち、制御部４０が冷却ファン３６の風量を制御し、１次冷媒回路１０の冷媒の圧力値を所定の範囲に維持することにより、再生用凝縮器２６において十分な凝縮熱を得ることができる。これにより、再生領域２５内の空気を十分に暖められ、この暖められた空気により除湿ロータ２１の水分吸着能力を十分に再生させることができる。
【００５３】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００５４】
【図１】本発明の一実施形態である除湿空調システム１の全体構成図である。
【図２】制御部４０の流量制御弁３３及び開閉弁３４の制御フローを示す図である。
【図３】本実施形態及び比較例の場合における回転式除湿機２０の処理領域２２と再生領域２５とを通過する空気の温度と湿度とを示す空気線図である。
【図４】本発明の別の実施形態である除湿空調システム２の全体構成図である。
【図５】制御部４０が行う冷却ファン３６の制御フローを示す図である。
【符号の説明】
【００５５】
１、２  除湿空調システム
１０  冷媒回路
１１  冷凍手段
１２  コンプレッサ
１３  圧力計
１６  冷却系凝縮器
２０  回転式除湿機
２１  除湿ロータ
２２  処理領域
２４  処理ファン
２５  再生領域
２６  除湿機系凝縮器
２７  再生ファン
３０  ２次冷却回路
３１  ２次冷媒冷却器
３２  ２次冷媒ポンプ
３３  流量制御弁
３４  開閉弁
３６  冷却ファン
４０  制御部
【図２】
0005523666.tif 000002
【図３】
0005523666.tif 000003
【図５】
0005523666.tif 000004
【図１】
0005523666.tif 000005
【図４】
0005523666.tif 000006